(57)【要約】【課題】棚調整を円滑に素早くする。【解決手段】浮き本体は、釣り糸を中に通して、その釣り糸に沿って移動する。このとき、回転軸は釣り糸に接触して回転する。この回転数を回転計数手段により計数する。距離算出手段は、計数した回転数より釣り糸の移動距離を計算する。このとき、予め距離指定手段により移動距離が指定されていると、停止手段は、距離算出手段による移動距離が距離指定手段により指定した指定移動距離に達したときに前記回転軸の回転を停止させる。【選択図】　図１
2004057092.tif 000002
【特許請求の範囲】
【請求項１】
浮き本体に釣り糸を移動可能に貫通させる釣り用浮きであって、前記釣り糸の移動に伴い当該釣り糸に接触して回転する回転軸と、前記回転軸の回転数を計数する回転計数手段と、前記回転計数手段が計数した回転数より前記釣り糸の移動距離を算出する距離算出手段とを備えたことを特徴とする釣り用浮き。
【請求項２】
浮き本体に釣り糸を移動可能に貫通させる釣り用浮きであって、前記釣り糸の移動に伴い当該釣り糸に接触して回転する回転軸と、前記回転軸の回転回数を計数する回転計数手段と、前記回転計数手段が計数した回転数より前記釣り糸の移動距離を算出する距離算出手段と、移動距離を指定する距離指定手段と、前記距離算出手段による移動距離が距離指定手段により指定した指定移動距離に達したときに前記回転軸の回転を停止させる停止手段とを備えたことを特徴とする釣り用浮き。
【請求項３】
距離指定手段の指定の確定表示を画面表示又は音声表示又は振動表示により行うことを特徴とする請求項２に記載の釣り用浮き。
【請求項４】
停止手段が、回転軸に設けたギヤの歯に噛み合う歯を設けたモータからなることを特徴とする請求項２に記載の釣り用浮き。
【発明の詳細な説明】
【０００１】
【産業上の利用分野】
この発明は、釣りに用いる中通し浮きに関し、浮きの位置を調節できる機構を備えたものである。
【０００２】
【従来の技術】
一般的な中通し浮きは、例えば図４に示すように、浮き４０１に設けた貫通孔に釣り糸４０２を通し、針４０３側のより戻し４０４から竿４０５側の浮き止め４０６までを移動できるようにする。このような仕組みで、竿４０５を上げた時には、浮き４０１は自身の重さでより戻し４０４側に移動する。竿４０６を下げた時には、浮き４０１は海面に着水し、より戻し４０４の重りで針４０３（あるいは図示しない餌カゴ）を沈め、釣り糸４０２を下ろし、浮き止め４０６の位置で浮き４０１が停止することになる。そのため、浮き４０１から針４０３（あるいは図示しない餌カゴ）までの距離（棚）は浮き止め４０６の位置を調整（棚調整）することにより行われる。浮き止め４０６は例えば、釣り糸４０２にこれと同様の材質の糸を結び付け（結び付けた糸を「糸結び」という。）、浮き４０１と前記糸結びの間にビーズ又は専用の小さい孔を設けたゴム入れを使用し、糸結びの部分で浮き４０１が上方に移動しないようにする。浮き止め４０６として他にプラスチック部材を用い、これに釣り糸４０２を結び付けるようにするものもある。
【０００３】
【発明が解決しようとする課題】
釣りを行う上で、距離（棚）調整は非常に重要な要素といえるが、上述した従来の仕組みでは浮き止めの調整が非常に困難であった。すなわち、竿を上げて浮き又は針を使用者の手元近くにすると、調整すべき浮き止めは設定した棚分だけ上方に位置することになる。例えば、海中の棚が深い場合、浮き止めが竿側、又は、リール側にまで巻き取られている可能性もある。釣りを足場の悪いところや、作業場所の取り難い所などで行っている場合などは、棚調整は重要にも関わらず棚調整を諦めざるを得ない場合がある。また、回遊魚などを狙う時などは、棚調整に時間をかけられない場合があり、棚調整に時間をかけることで釣果を減らすことがあった。また、目的でない魚が目的の棚より上にある場合、重りのみで棚位置までエサを運ぶため、途中でエサを目的以外の魚に食われるおそれがあった。また、天候状況により、波、風等の影響を受け、目的の棚までエサが届かないことがあり、このことを使用者が認識できない場合もまた、釣果を減らす要因になっていた。
【０００４】
本発明は上記問題点を鑑みてなされたものであり、棚調整を円滑に素早くし、目的の棚にエサをいち早く移動させることができ、さらには、釣り糸の移動状況を表示して通知することができる釣り用浮きを提供することを目的とする。
【０００５】
【課題を解決するための手段】
上記課題を解決するため請求項１に係る釣り用浮きは、浮き本体に釣り糸を移動可能に貫通させ、前記釣り糸の移動に伴い当該釣り糸に接触して回転する回転軸と、前記回転軸の回転数を計数する回転計数手段と、前記回転計数手段が計数した回転数より前記釣り糸の移動距離を算出する距離算出手段とを備えたことを特徴とするものである。
【０００６】
また、請求項２に係る釣り用浮きは、浮き本体に釣り糸を移動可能に貫通させ、前記釣り糸の移動に伴い当該釣り糸に接触して回転する回転軸と、前記回転軸の回転回数を計数する回転計数手段と、前記回転計数手段が計数した回転数より前記釣り糸の移動距離を算出する距離算出手段と、移動距離を指定する距離指定手段と、前記距離算出手段による移動距離が距離指定手段により指定した指定移動距離に達したときに前記回転軸の回転を停止させる停止手段とを備えたことを特徴とするものである。
【０００７】
また、請求項３に係る釣り用浮きは、上記請求項２において、距離指定手段の指定の確定表示を画面表示又は音声表示又は振動表示により行うものである。
【０００８】
また、請求項４に係る釣り用浮きは、上記請求項２において、停止手段が、回転軸に設けたギヤの歯に噛み合う歯を設けたモータからなるものである。
【０００９】
【作用】
請求項１に係る釣り用浮きは、次のように作用する。浮き本体は、釣り糸を中に通して、その釣り糸に沿って移動する。このとき、回転軸は釣り糸に接触して回転する。この回転数を回転計数手段により計数する。距離算出手段は、計数した回転数より釣り糸の移動距離を計算する。
【００１０】
請求項２に係る釣り用浮きは、次のように作用する。浮き本体は、釣り糸を中に通して、その釣り糸に沿って移動する。このとき、回転軸は釣り糸に接触して回転する。この回転数を回転計数手段により計数する。距離算出手段は、計数した回転数より釣り糸の移動距離を計算する。このとき、予め距離指定手段により移動距離が指定されていると、停止手段は、距離算出手段による移動距離が距離指定手段により指定した指定移動距離に達したときに前記回転軸の回転を停止させる。
【００１１】
請求項３に係る釣り用浮きは、次のように作用する。上記請求項２の作用において、距離して手段により移動距離を指定すると、その指定の確定表示には、画面表示、音声表示又は振動表示により使用者に知らせることができる。
【００１２】
請求項４に係る釣り用浮きは、次のように作用する。上記請求項２の作用において、回転軸に設けたギヤの歯に噛み合う歯を設けたモータを停止状態にすることにより、回転軸が停止し、釣り糸を所定の距離だけ移動させて停止させることができる。
【００１３】
【実施例】
以下、本発明の一実施例について図を参照して説明する。図１は第１の実施例を説明する構成図である。図１において、１０１は浮き本体、１０２は浮き本体１０１の内部を上下方向に貫通する孔、１０３は第１の回転軸、１０４は第２の回転軸、１０５は第１のギヤ、１０６は第２のギヤ、１０９はモータ、１１０はエンコーダ、１１１は前記エンコーダ１１０に組み込まれるフォトセンサー、１１２は表示装置、１１３はキー、１１４はコントローラ、１１５は電池、１１６は釣り糸である。
【００１４】
孔１０２は浮き本体１０１の内部を上下方向に貫通するように形成され、釣り糸１１６が通る。第１の回転軸１０３及び第２の回転軸１０４は、前記孔１０２が形成する貫通路とほぼ直角になるように軸受け１０３ａ，１０３ｂ，１０４ａ，１０４ｂを介して浮き本体１０１に取り付けられる。この第１の回転軸１０３及び第２の回転軸１０４の間に釣り糸１１６が挟まれるように接して通る。これにより、釣り糸１１６が移動することで安定的に第１の回転軸１０３及び第２の回転軸１０４が回転する。第１の回転軸１０３の端部に第１のギヤ１０５が取り付けられ、モータ１０９に第２のギヤ１０６が取り付けられる。第１のギヤ１０５と第２のギヤ１０６とが噛み合う。釣り糸１１６の上下移動に伴い、第１の回転軸１０３の回転により第１のギヤ１０５は両方向に回転可能であり、その一方向の回転（図１の第１のギヤ１０５から第１の回転軸１０３方向に見た場合の時計方向）の場合は、第２のギヤ１０６に噛み合い第２のギヤ１０６を反時計方向に回転させるように伝達される。第１のギヤ１０５の他方向の回転（反時計方向）については、第２のギヤ１０６に対して空転する。また、モータ１０９の回転により第２のギヤは両方向に回転可能であり、その一方向の回転（図１の第２のギヤからモータ１０９方向に見た場合の時計方向）の場合は、第１のギヤ１０６に噛み合い第１の回転軸１０３を反時計方向に回転させるようにする。第２ギヤ１０６の他方向の回転（反時計方向）については、第１のギヤ１０５に対して空転する。モータ１０９は第２のギヤ１０６に正方向（反時計方向）と逆方向（時計方向）の２方向の回転、停止及びオープン状態を与える。正方向の回転で、第２のギヤ１０６、第１のギヤ１０５は互いに空転する。逆方向の回転で、第２のギヤ１０６、第１のギヤ１０５を介して、釣り糸１１６は引き上げられる。高速の正負のパルスを加えることにより停止状態すなわちブレーキとなり、この時、釣り糸１１６は第１の回転軸１０３と第２の回転軸１０４とに挟まれ、移動は停止される。オープン状態では、釣り糸１１６はフリーになる。エンコーダ１１０は、フォトセンサー１１１を用いて、第１の回転軸１０３の回転数を計数し、デジタル量をパルスで出力する。表示装置１１２は、例えばＬＥＤから構成し、浮き本体１０１の表面から発光部を露出させ、外部から認識可能にする。ＬＥＤで構成した場合、異なった色の発光の組み合わせでメッセージを表示する。キー１１３は、浮き本体１０１の表面に設け、コントローラ１１４が所定の制御をするように、所定のスイッチを選択する。コントローラ１１４は、キー１１３からの信号を解読して所定の制御をし、また、エンコーダ１１０からのパルスを受けて、第１の回転軸１０３がどのくらい回転すなわち釣り糸１１６がどのくらい距離を移動したかを認識する。
【００１５】
図２は、コントローラ１１４の機能構成を示す図である。図２において、１１４１は回転数を記憶するメモリ、１１４２はエンコーダ１１０からの回転数とメモリ１１４１からの回転数とを比較する比較部、１１４３はキー１１３からの信号を解読する解読部、１１４４は釣り糸の移動距離を算出する距離算出部、１１４５は時計部である。
【００１６】
上記構成において、電気部品の回路部分は例えば、樹脂等で覆って防水とする。
【００１７】
釣り場において、使用者は竿を下ろす前にキー１１３の１個又は複数個の組み合わせにより釣り糸の送り出し距離を設定する。設定により、表示装置のＬＥＤの発光の組み合わせで距離設定の結果が表示される。コントローラ１１４の解読部１１４３は、キー１１３からの信号により目標距離設定を解読する。距離算出部１１４４は設定された目標距離を第１の回転軸１０３が回転すべき回転数に変換し、これをメモリ１１４１に記録しておく。モータ１０９をフリー状態にして、竿を振って針を投げ入れると、浮き本体１０１は海面に浮き、釣り糸１１６は重り及びエサカゴの重さにより、繰り出される。この釣り糸１１６の移動で第１、第２の回転軸１０３，１０４が回転し、エンコーダ１１０が回転数を計数する。比較部１１４２はエンコーダ１１０からの回転数とメモリ１１４１に記録されている回転数とを比較し、一致するか否かを監視する。コントローラ１１４は、回転数が一致したときに、送り出し距離が目標距離一致したとして、モータ１０９を停止状態にする。
【００１８】
次に距離自動検出設定機能について説明する。キー１１３により、距離自動検出設定を設定して表示装置１１２にその旨表示させる。コントローラ１１４の解読部１１４３は、キー１１３からの信号により距離自動検出設定を解読する。モータ１０９はフリー状態となり、竿を振って針を投げ入れると、浮き本体１０１は海面に浮き、釣り糸１１６は重りの重さで繰り出される。この釣り糸１１６の移動で第１、第２の回転軸１０３，１０４が回転し、エンコーダ１１０が回転数を計数する。例えば、重りが海底に着いて送り出しが停止し、所定の時間経過すると、距離算出部１１４４はエンコーダの回転数より、釣り糸の送り出し距離を算出する。これにより、海面から海底までの距離Ｌを算出することができる。この後、距離算出部１１４４はこの距離Ｌに相当するエンコーダ１１０が示した回転数Ｎを適当数ｎに分割し、各分割して得た数Ｎ／ｎ，２Ｎ／ｎ，３Ｎ／ｎ，…，（ｎ−１）Ｎ／ｎ，Ｎに対応する距離を算出して、回転数と距離をメモリ１１４１に記録する。
【００１９】
利用者は、キー１１３の操作により、分割点毎の送り出し距離を確認することができる。解読部１１４３が距離自動検出設定機能により設定した距離の確認であることを解読し、メモリ１１４１からキー１１３の操作により指定された分割区分毎の送り出し距離を読み出す。ＬＥＤによる表示装置１１２を用いた場合は、ＬＥＤの表示の組み合わせ、あるいは表示色の組み合わせで、距離Ｌをｎ分割したうちの指定された分割区分のものを表示する。表示装置１１２が図示しない液晶モニタであるときまたはＬＥＤとともに用いるときは、解読部１１４３が距離自動検出設定機能により設定した距離の確認であることを解読し、メモリ１１４１から各分割区分の距離を読み出し、ＬＥＤを上記のように表示するとともに、液晶モニタの文字表示により、各分割区分とその距離を表示する。そして、利用者は、この距離の表示を見て、キー１１３の操作により分割区分を指定することにより、送り出し距離を指定する。そして、目的の棚までの送り出しは、上記のように距離を測定した分割区分のうち目的の距離に近い区分点を、利用者がキー１１３により指定してから、モータ１０９をフリー状態にして、竿を振って針を投げ入れる。コントローラ１１４は、キー１１３によりメモリ１１４１に設定した距離に相当する回転数と、重りによる釣り糸の繰り出し距離に相当する回転数とが一致したときに、送り出し距離が目標距離一致したとして、モータ１０９を停止状態にして、目的の棚までの送り出しをすることができる。
【００２０】
また、この各分割区分毎の送り出し距離の指定は、キー１１３の操作により変更することが出来、棚調整を円滑に素早く行うことが可能となる。
【００２１】
また、目的の棚までの送り出しは、上記のように、モータ１０９をフリー状態にして目的の棚までの送り出しをする。このとき、波、風の影響が大きい場合、海面より上の釣り糸が風に吹かれて、海中の釣り糸を上げてしまい、重りが目的の棚に届かないことがある。このため、時計部１１４５が所定時間経過を測定しても、釣り糸の送り出しによる第１の回転軸１０３の回転数が、目的の距離に近い区分点の回転数に至らない場合は、波、風等の影響を察知し、使用者に表示装置を構成するＬＥＤの発光による組み合わせによりその旨のメッセージを表示することができる。使用者は、このメッセージを受けて、重り、浮き等を交換する目安とする。
【００２２】
また、エサが目的の棚まで届いた後、波、風等の影響を受け、逆方向に釣り糸が引かれる場合がある。この時、第１のギヤ１０５は第２のギヤ１０６に対して空転し、第１の回転軸１０３も送り出しとは逆方向に回転するので、エンコーダ１１０は、目的の棚の距離より少ない距離に相当する回転数を示すこととなり、コントローラ１１４の距離算出部１１４４は、メモリ１１４１が示す目的の棚の距離に相当する回転数となるように必要な距離すなわち回転数を算出する。モータ１０９の停止を解除し、フリー状態して重りの重さにより目的まで釣り糸１１６を繰り出させる。第１の回転軸１０３の回転を計数し、この計数値が、メモリ１１４１が示す距離に相当する回転数と一致するか、あるいは前記のように算出した回転数と一致するかを計数し、一致したときにモータ１０９を停止状態にし、安定的な棚を確保することができる。
【００２３】
また、釣り糸を目的の送り出しを設定する際に、「誘い」を設定すると、目的の棚に釣り糸を送り出した後、目的位置から所定のわずかの距離を上下するように、モータ１０９のフリー状態で釣り糸を下げ、逆回転で釣り糸を上げるという動作を繰り返すことにより、誘いを行うことができる。
【００２４】
図３は第２の実施例の構成図である。図３において、３０１は浮き本体、３０２は浮き本体３０１の内部を上下方向に貫通する孔、３０３は第１の回転軸、３０４は第２の回転軸、３０５は第１のギヤ、３０６は第２のギヤ、３０６は戻り止め、３０７はソレノイド、３０９はモータ、３１０はエンコーダ、３１１は前記エンコーダ１１０に組み込まれるフォトセンサー、３１２は表示装置、３１３はキー、３１４はコントローラ、３１５は電池、３１６は釣り糸である。
【００２５】
孔３０２は浮き本体３０１の内部を上下方向に貫通するように形成され、釣り糸３１６が通る。第１の回転軸３０３及び第２の回転軸３０４は、前記孔３０２が形成する貫通路とほぼ直角になるように軸受け３０３ａ，３０３ｂ，３０４ａ，３０４ｂを介して浮き本体３０１に取り付けられる。この第１の回転軸３０３及び第２の回転軸３０４の間に釣り糸３１６が挟まれるように接して通る。これにより、釣り糸３１６が移動することで安定的に第１の回転軸３０３及び第２の回転軸３０４が回転する。第１の回転軸３０３の端部に第１のギヤ３０５が取り付けられ、モータ３０９に第２のギヤ３０６が取り付けられる。第１のギヤ３０５と第２のギヤ３０６とは噛み合う。
【００２６】
戻り止め３０７は、浮き本体３０１に設けた支持軸３０６１を中心にして回転可能にして、第１のギヤ３０５の歯に掛かることができる。ソレノイド３０８は、腕を前後駆動させることにより、前記戻り止め３０７を回転させ、第１のギヤ３０５の歯への掛かり及び解除動作をする。戻り止め３０７が第１のギヤ３０５の歯に掛かるときは、第１のギヤ３０５の一方向の回転を停止し、他方向の回転を許す。また、戻り止め３０７が歯への掛かりを解除すると、第２のギヤ３０５は２方向の回転が可能となる。
【００２７】
モータ３０９は第２のギヤ３０６、第１のギヤ３０５を介して第１の回転軸３０３に正回転と逆回転の２方向の回転、停止及びオープン状態を与える。ソレノイド３０８により戻り止め３０７を第１のギヤ３０５の歯から外した状態にして、モータ３０９の正方向の回転で、第２のギヤ３０６及び第１のギヤ３０５を介して、釣り糸３１６は送出される。モータ３０９の逆回転で、第２のギヤ３０６、第１のギヤ３０５を介して、釣り糸３１６は引き上げられる。このとき、戻り止め３０７を第１のギヤ３０５の歯から解除したときはもちろん、歯に掛けた場合は、逆方向の回転に対しては戻り止め３０７の先端が第１のギヤ３０５の上を滑るようにし、第１のギヤ３０５の回転が可能となる。モータ３０９に高速の正負のパルスを加えることにより停止状態すなわちブレーキとなり、この時、釣り糸３１６は第１の回転軸３０３と第２の回転軸３０４とに挟まれ、移動は停止される。オープン状態では、釣り糸３１６はフリーになる。このとき、ソレノイド３０８により戻り止め３０７を第１のギヤ３０５に掛けることにより、釣り糸３１６の送り出し方向への回転は停止され、逆方向への回転は可能となる。エンコーダ３１０は、フォトセンサー３１１を用いて、第１の回転軸３０３の回転数を計数し、デジタル量をパルスで出力する。表示装置３１２は、例えばＬＥＤから構成し、浮き本体３０１の表面から発光部を露出させ、外部から認識可能にする。ＬＥＤで構成した場合、異なった色の発光の組み合わせでメッセージを表示する。キー３１３は、浮き本体３０１の表面に設け、コントローラ３１４が所定の制御をするように、所定のスイッチを選択する。コントローラ３１４は、キー３１３からの信号を解読して所定の制御をし、また、エンコーダ３１０からのパルスを受けて、第１の回転軸３０３がどのくらい回転すなわち釣り糸３１６がどのくらい距離を移動したかを認識する。
【００２８】
コントローラ３１４は、図２と同様の機能構成を有する。
【００２９】
第２の実施例において、第１の実施例と同様に、電気部品の回路部分は例えば、樹脂等で覆って防水とする。
【００３０】
釣り場において、使用者は竿を下ろす前にキー３１３の１個又は複数個の組み合わせにより釣り糸の送り出し距離を設定する。設定により、表示装置のＬＥＤの発光の組み合わせで距離設定の結果が表示される。コントローラ３１４の解読部１１４３は、キー３１３からの信号により目標距離設定を解読する。距離算出部１１４４は設定された目標距離を第１の回転軸３０３が回転すべき回転数に変換し、これをメモリ１１４１に記録しておく。モータ３０９をフリー状態にして、竿を振って針を投げ入れると、浮き本体３０１は海面に浮き、釣り糸３１６は重り及びエサカゴの重さにより、繰り出される。この釣り糸３１６の移動で第１、第２の回転軸３０３，３０４が回転し、エンコーダ３１０が回転数を計数する。比較部１１４２はエンコーダ３１０からの回転数とメモリ１１４１に記録されている回転数とを比較し、一致するか否かを監視する。コントローラ３１４は、回転数が一致したときに、送り出し距離が目標距離一致したとして、モータ３０９を停止状態にするとともに、ソレノイド３０８により戻り止め３０７を第１のギヤ３０５の歯に掛け、釣り糸の送り出し方向への回転を停止、逆方向への回転を可能として、モータ３０９をフリーにする。
【００３１】
次に距離自動検出設定機能について説明する。キー３１３により、距離自動検出設定を設定して表示装置３１２にその旨表示させる。コントローラ３１４の解読部１１４３は、キー３１３からの信号により距離自動検出設定を解読する。モータ３０９はフリー状態となり、竿を振って針を投げ入れると、浮き本体３０１は海面に浮き、釣り糸３１６は重りの重さで繰り出される。この釣り糸３１６の移動で第１、第２の回転軸３０３，３０４が回転し、エンコーダ３１０が回転数を計数する。例えば、重りが海底に着いて送り出しが停止し、所定の時間経過すると、距離算出部１１４４はエンコーダの回転数より、釣り糸の送り出し距離を算出する。これにより、海面から海底までの距離Ｌを算出することができる。この後、距離算出部１１４４はこの距離Ｌに相当するエンコーダ１１０が示した回転数Ｎを適当数ｎに分割し、各分割して得た数Ｎ／ｎ，２Ｎ／ｎ，３Ｎ／ｎ，…，（ｎ−１）Ｎ／ｎ，Ｎに対応する距離を算出して、回転数と距離をメモリ１１４１に記録する。
【００３２】
利用者は、キー３１３の操作により、分割点毎の送り出し距離を確認することができる。解読部１１４３が距離自動検出設定機能により設定した距離の確認であることを解読し、メモリ１１４１からキー３１３の操作により指定された分割区分毎の送り出し距離を読み出す。ＬＥＤによる表示装置３１２を用いた場合は、ＬＥＤの表示の組み合わせ、あるいは表示色の組み合わせで、距離Ｌをｎ分割したうちの指定された分割区分のものを表示する。表示装置３１２が図示しない液晶モニタであるときまたはＬＥＤとともに用いるときは、解読部１１４３が距離自動検出設定機能により設定した距離の確認であることを解読し、メモリ１１４１から各分割区分の距離を読み出し、ＬＥＤを上記のように表示するとともに、液晶モニタの文字表示により、各分割区分とその距離を表示する。そして、利用者は、この距離の表示を見て、キー３１３の操作により分割区分を指定することにより、送り出し距離を指定する。そして、目的の棚までの送り出しは、上記のように距離を測定した分割区分のうち目的の距離に近い区分点を、利用者がキー３１３により指定してから、モータ３０９をフリー状態して、竿を振って針を投げ入れる。コントローラ１１４は、キー３１３によりメモリ１１４１に設定した距離に相当する回転数と、重りによる釣り糸の繰り出し距離に相当する回転数とが一致したときに、送り出し距離が目標距離一致したとして、戻り止め３０７を第１のギヤ３０５の歯に掛け、釣り糸の送り出し方向への回転を停止、逆方向への回転を可能として、モータ３０９をフリーにして、目的の棚までの送り出しをすることができる。
【００３３】
また、この各分割区分毎の送り出し距離の指定は、キー３１３の操作により変更することが出来、棚調整を円滑に素早く行うことが可能となる。
【００３４】
また、目的の棚までの送り出しは、上記のように、モータ３０９をフリー状態にして目的の棚までの送り出しをする。このとき、波、風の影響が大きい場合、海面より上の釣り糸が風に吹かれて、海中の釣り糸を上げてしまい、重りが目的の棚に届かないことがある。このため、時計部１１４５が所定時間経過を測定しても、釣り糸の送り出しによる第１の回転軸３０３の回転数が、目的の距離に近い区分点の回転数に至らない場合は、波、風等の影響を察知し、使用者に表示装置を構成するＬＥＤの発光による組み合わせによりその旨のメッセージを表示することができる。使用者は、このメッセージを受けて、重り、浮き等を交換する目安とする。
【００３５】
また、エサが目的の棚まで届いた後、波、風等の影響を受け、逆方向に釣り糸が引かれる場合がある。この時、第１の回転軸３０３も送り出しとは逆方向に回転するので、エンコーダ３１０は、目的の棚の距離より少ない距離に相当する回転数を示すこととなり、コントローラ３１４の距離算出部１１４４は、メモリ１１４１が示す目的の棚の距離に相当する回転数となるように必要な距離すなわち回転数を算出する。モータ３０９の停止を解除し、目的まで正回転し、安定的な棚を確保することができる。
【００３６】
また、釣り糸を目的の送り出しを設定する際に、「誘い」を設定すると、目的の棚に釣り糸を送り出した後、目的位置から所定のわずかの距離を上下するように、モータ１０９を正回転、逆回転を繰り返すようにすることにより、誘いを行うことができる。このとき、逆回転をするときは、ソレノイド３０８により戻り止め３０７を第１のギヤ３０５の歯から外した状態する。
【００３７】
第１の実施例及び第２の実施例では、表示装置としてＬＥＤの発光の組み合わせで距離設定の結果を表示していたが、液晶表示装置により文字表示あるいは記号表示による映像表示、若しくはブザーの発信音の組み合わせにより音声表示するものであってもよく、ともに設定を円滑に行うことができる。
【００３８】
【発明の効果】
以上説明したように本発明によれば、棚調整を円滑に素早く行え、また、目的の棚に届いていない事があればそれを使用者に通知することができる。棚調整は浮き本体を手元にして行うため、操作性に優れ、釣り糸の移動距離を算出するから、初めに海面から海底までの距離を測り、その距離により、浮きを停止させる位置を設定することができ、この位置を数段階に分けることにより、海面から海底までの所定間隔の位置に魚がいないかを探ることができる。
【図面の簡単な説明】
【図１】本発明による第１の実施例を説明する図である。
【図２】本発明による実施例におけるコントローラの機能構成図の例である。
【図３】本発明による第２の実施例を説明する図である。
【図４】一般的な中通し浮きとその利用状態を説明する図である。
【符号の説明】
１０１…浮き本体、１０２…孔、１０３…第１の回転軸、１０４…第２の回転軸、１０５…第１のギヤ、１０６…第２のギヤ、１０９…モータ、１１０…エンコーダ、１１１…フォトセンサー、１１２…表示装置、１１３…キー、１１４…コントローラ、１１５…電池、１１６…釣り糸、１１４１…メモリ、１１４２…比較部、１１４３…解読部、１１４４…距離算出部、１１４５…時計部。
【図１】
2004057092.tif 000003
【図２】
2004057092.tif 000004
【図３】
2004057092.tif 000005
【図４】
2004057092.tif 000006